(57)【特許請求の範囲】
【請求項１】
画像記録装置の記録媒体装着部を有するメカニズムユニットの周囲の複数箇所をダンパーを介してビデオカメラ本体に取り付けたカメラ一体型画像記録装置であって、
画像記録装置のメカニズムユニットを初期位置に強制移動させる緩衝解除機構を設け、
ビデオカメラ本体に設けた記録媒体挿入口から画像記録装置のメカニズムユニットへの記録媒体の装着動作または記録媒体の取り出し動作に際して緩衝解除機構が動作するように構成した
カメラ一体型画像記録装置。
【請求項２】
画像記録装置の記録媒体装着部を有するメカニズムユニットの両側をビデオカメラ本体の前後方向からダンパーを介して支持するとともに、ビデオカメラ本体側とメカニズムユニットの前記の両側との間に、それぞれ緩衝解除機構を設けた
請求項１記載のカメラ一体型画像記録装置。
【請求項３】
ビデオカメラ本体側とメカニズムユニットの前側面との間に設けた第１の緩衝解除機構を、前記メカニズムユニットをビデオカメラ本体の後方に押し出す第１の規制部と、前記メカニズムユニットをビデオカメラ本体の上下方向に移動させる第２の規制部とで構成し、ビデオカメラ本体側とメカニズムユニットの後側面との間に設けた第２の緩衝解除機構を、前記メカニズムユニットをビデオカメラ本体の前方に押し出す第３の規制部と、前記メカニズムユニットをビデオカメラ本体の上下方向に移動させる第４の規制部とで構成した
請求項２記載のカメラ一体型画像記録装置。
【請求項４】
第１の規制部〜第４の規制部を連動して作動させる
請求項３記載のカメラ一体型画像記録装置。
【請求項５】
可動部がビデオカメラ本体の少なくとも前後方向に出退するようにダンパーを取り付け、第１の規制部と第３の規制部を第２の規制部と第４の規制部よりも優先させて作動させるように構成した
請求項３または請求項４記載のカメラ一体型画像記録装置。
【請求項６】
第１の規制部と第２の規制部を、ビデオカメラ本体の上下方向にスライド駆動されて第１のレバーをビデオカメラ本体の後方向へ押し出す第１のスライド板と、ビデオカメラ本体の上下方向に互いに逆方向にスライド駆動されて前方側のダンパーのダンパー軸を挟持してこのダンパー軸をダンパーの中央に付勢する第２，第３のスライド板とで構成し、第３の規制部と第４の規制部を、ビデオカメラ本体の上下方向にスライド駆動されて第２のレバーをビデオカメラ本体の前方向へ押し出す第４のスライド板と、ビデオカメラ本体の上下方向に互いに逆方向にスライド駆動されて後方側のダンパー軸を挟持してこのダンパー軸をダンパーの中央に付勢する第５，第６のスライド板とで構成した
請求項３〜請求項５の何れかに記載のカメラ一体型画像記録装置。
【請求項７】
画像記録装置の記録媒体装着部を、テープカセットまたは光ディスクまたは光ディスクを内蔵したディスクカセットの何れかの記録媒体を取り扱うように構成した
請求項１〜請求項６の何れかに記載のカメラ一体型画像記録装置。
【発明の詳細な説明】
【０００１】
【発明の属する技術分野】
本発明は、カメラ一体型画像記録装置に関するものである。
【０００２】
【従来の技術】
撮影者が肩に乗せて撮影するカメラ一体型画像記録装置では、撮影中に撮影者が動き回わって振動が発生しても記録媒体への正確な記録を実現できるように、記録媒体装着部は各種のダンパーを介してビデオカメラ本体の側に取り付けられている。
【０００３】
【発明が解決しようとする課題】
しかし、耐震性能を向上させるために緩衝効果の大きいダンパーを使用した場合には、ビデオカメラ本体に設けられた記録媒体挿入口から記録媒体を記録媒体装着部に装着する際に、記録媒体装着部が揺動して操作しにくくなったり、ビデオカメラ本体の姿勢が大きく傾いた状態で記録媒体装着部に記録媒体を装着したり、記録媒体装着部から記録媒体を取り出す際には、ビデオカメラ本体の側の記録媒体挿入口と記録媒体装着部の入口との位置ずれが発生する。
【０００４】
そのため、従来ではダンパーの緩衝性能を低くして操作性に重点をおいて一部の耐震性能を犠牲にしている。
本発明は操作性が良好で、しかも従来に比べて十分な耐震性能を得ることができるカメラ一体型画像記録装置を提供することを目的とする。
【０００５】
【課題を解決するための手段】
本発明のカメラ一体型画像記録装置は、画像記録装置のメカニズムユニットを初期位置に強制移動させる緩衝解除機構を設け、ビデオカメラ本体に設けた記録媒体挿入口から画像記録装置のメカニズムユニットへの記録媒体の装着動作または記録媒体の取り出し動作に際して緩衝解除機構が動作するように構成したことを特徴とする。
【０００６】
この本発明によると、ダンパーの緩衝性能を大きくして耐震性能を向上させた場合であっても、記録媒体の出し入れの際に緩衝解除機構を作動させて画像記録装置のメカニズムユニットを初期位置に強制移動させることによって、操作性も良好にできる。
【０００７】
【発明の実施の形態】
請求項１記載のカメラ一体型画像記録装置は、画像記録装置の記録媒体装着部を有するメカニズムユニットの周囲の複数箇所をダンパーを介してビデオカメラ本体に取り付けたカメラ一体型画像記録装置であって、画像記録装置のメカニズムユニットを初期位置に強制移動させる緩衝解除機構を設け、ビデオカメラ本体に設けた記録媒体挿入口から画像記録装置のメカニズムユニットへの記録媒体の装着動作または記録媒体の取り出し動作に際して緩衝解除機構が動作するように構成したことを特徴とする。
【０００９】
請求項２記載のカメラ一体型画像記録装置は、請求項１において、画像記録装置の記録媒体装着部を有するメカニズムユニットの両側をビデオカメラ本体の前後方向からダンパーを介して支持するとともに、ビデオカメラ本体側とメカニズムユニットの前記の両側との間に、それぞれ緩衝解除機構を設けたことを特徴とする。
【００１０】
請求項３記載のカメラ一体型画像記録装置は、請求項２において、ビデオカメラ本体側とメカニズムユニットの前側面との間に設けた第１の緩衝解除機構を、前記メカニズムユニットをビデオカメラ本体の後方に押し出す第１の規制部と、前記メカニズムユニットをビデオカメラ本体の上下方向に移動させる第２の規制部とで構成し、ビデオカメラ本体側とメカニズムユニットの後側面との間に設けた第２の緩衝解除機構を、前記メカニズムユニットをビデオカメラ本体の前方に押し出す第３の規制部と、前記メカニズムユニットをビデオカメラ本体の上下方向に移動させる第４の規制部とで構成したことを特徴とする。
【００１１】
請求項４記載のカメラ一体型画像記録装置は、請求項３において、第１の規制部〜第４の規制部を連動して作動させることを特徴とする。請求項５記載のカメラ一体型画像記録装置は、請求項３または請求項４において、可動部がビデオカメラ本体の少なくとも前後方向に出退するようにダンパーを取り付け、第１の規制部と第３の規制部を第２の規制部と第４の規制部よりも優先させて作動させるように構成したことを特徴とする。
【００１２】
請求項６記載のカメラ一体型画像記録装置は、請求項３〜請求項５の何れかにおいて、第１の規制部と第２の規制部を、ビデオカメラ本体の上下方向にスライド駆動されて第１のレバーをビデオカメラ本体の後方向へ押し出す第１のスライド板と、ビデオカメラ本体の上下方向に互いに逆方向にスライド駆動されて前方側のダンパーのダンパー軸を挟持してこのダンパー軸をダンパーの中央に付勢する第２，第３のスライド板とで構成し、第３の規制部と第４の規制部を、ビデオカメラ本体の上下方向にスライド駆動されて第２のレバーをビデオカメラ本体の前方向へ押し出す第４のスライド板と、ビデオカメラ本体の上下方向に互いに逆方向にスライド駆動されて後方側のダンパー軸を挟持してこのダンパー軸をダンパーの中央に付勢する第５，第６のスライド板とで構成したことを特徴とする。
【００１３】
請求項７記載のカメラ一体型画像記録装置は、請求項１〜請求項６の何れかにおいて、画像記録装置の記録媒体装着部を、テープカセットまたは光ディスクまたは光ディスクを内蔵したディスクカセットの何れかの記録媒体を取り扱うように構成したことを特徴とする。
【００１４】
以下、本発明の実施の形態を図１〜図１１に基づいて説明する。
図１は本発明のカメラ一体型画像記録装置で使用される画像記録装置１を示している。このシャーシ２は、撮像光学系が前側に取り付けられているビデオカメラ本体３の後部に内蔵されている。矢印Ｆはビデオカメラ本体３の前方向を示し、矢印Ｂはビデオカメラ本体３の後方向を示している。
【００１５】
シャーシ２には、第１〜第４のダンパー４〜７が取り付けられており、この第１〜第４のダンパー４〜７のダンパー軸８には記録媒体装着部９が図２に示すように取り付けられている。この例では記録媒体が光ディスクを内蔵したディスクカセットで、記録媒体装着部９を有するメカニズムユニット１０は、セットされた光ディスクを駆動すると共に記録または再生の際に光ディスクにアクセスするヘッド装置とが設けられている。
【００１６】
第１〜第４のダンパー４〜７は何れも図３に示す構造で、ダンパー本体１１にはシリンダー室１２が形成されており、底部には連通口１３が穿設され、シリンダー室１２の開口部には、シリコーンを主体としたゲル状の合成樹脂のダンパー材１４で閉塞されると共に、このダンパー材１４の中央にダンパー軸８の基端が埋め込まれている。このダンパー軸８はシャーシ２に穿設された孔１５を介してシャーシ２の内側に挿入されている。
【００１７】
メカニズムユニット１０の両側面には、第１〜第４のダンパー４〜７に対応して支持パイプ１６が植設されており、支持パイプ１６の先端に第１〜第４のダンパー４〜７のダンパー軸８が挿入されて、各ダンパー軸８は支持パイプ１６に螺合するネジ１７によって固定されている。
【００１８】
このようにメカニズムユニット１０を第１〜第４のダンパー４〜７を介してシャーシ２に取り付けたため、ビデオカメラ本体３の姿勢が傾くと、例えば図４に示すようにゲル状のダンパー材１４が大きく弾性変形し、メカニズムユニット１０が大きく揺動する。
【００１９】
ここではビデオカメラ本体３の前後方向にメカニズムユニット１０が揺動した状態を説明したが、実際には図３に示したダンパーの構造によりメカニズムユニット１０はビデオカメラ本体３の上下方向（矢印ＵＤ方向）と左右方向（矢印ＬＲ方向）にも大きく揺動自在である。
【００２０】
シャーシ２とメカニズムユニット１０の右側面１８との間に第１の緩衝解除機構１９が設けられ、シャーシ２とメカニズムユニット１０の左側面２０との間に第２の緩衝解除機構２１が設けられている。
【００２１】
第１の緩衝解除機構１９は、図２および図４に示すように第１のスライド板２２と第２のスライド板２３と第３のスライド板２４とで構成されている。第２の緩衝解除機構２１は、第４のスライド板２５と第５のスライド板２６と第６のスライド板２７とで構成されている。
【００２２】
第１〜第３のスライド板２２〜２４は重ね合わせて、図５に示すようにシャーシ２の内側に植設されたピン２８ａ，２８ｂ，２８ｃに図９に示すそれぞれの長孔、具体的には、第３のスライド板２４は長孔２９ａ，２９ｂ，２９ｃにピン２８ａ，２８ｂ，２８ｃを挿通してスライド自在であり、第２のスライド板２３は長孔３０ａ，３０ｂ，３０ｃにピン２８ａ，２８ｂ，２８ｃを挿通してスライド自在であり、第１のスライド板２２は長孔３１ａ，３１ｂ，３１ｃにピン２８ａ，２８ｂ，２８ｃを挿通してスライド自在に構成されている。
【００２３】
第１のスライド板２２には２つの孔３２，３３と第１のレバー３４に連結されるピン３５が形成されている。第２のスライド板２３にはガイド凹部３６とガイド孔３７とラック３８が形成されている。第３のスライド板２４には２つのガイド孔３９，４０とラック４１が形成されている。第１，第２のダンパー４，５のダンパー軸１６は、それぞれ図５に示すように第１〜第３のスライド板２２〜２４のガイド孔や凹部を通過してメカニズムユニット１０の側に延設されている。
【００２４】
同様に第３，第４のダンパー６，７のダンパー軸１６も、第４〜第６のスライド板２５〜２７のガイド孔や凹部を通過してメカニズムユニット１０の側に延設されている。
【００２５】
重ね合わされた各スライド板２２〜２４，２５〜２７の相互間には間隔の保持と摩擦の低減を目的として合成樹脂製のブッシング（図示せず）が介装されている。また、第１〜第３のスライド板２２〜２４がスライド自在に取り付けられたシャーシ２の内側には、図５に示すようにシャーシ２に植設されたピン４２に第３のスライド板２４のラック４１にだけ噛合する歯車４３が取り付けられ、シャーシ２に植設されたピン４４に第２のスライド板２３のラック３８と歯車４３にだけ噛合する歯車４５が取り付けられている。
【００２６】
同様に第４〜第６のスライド板２５〜２７も重ね合わせてシャーシ２の内側にスライド自在に取り付けられている。この第５，第６のスライド板２６，２７についても第２，第３のスライド板２３，２４の側の歯車４３，４５と同様の歯車（図示せず）がシャーシー２に設けられている。
【００２７】
第１〜第３のスライド板２２〜２３がスライド自在に取り付けられたシャーシ２の内側には、図５に示すようにシャーシ２に植設されたピン４６，４７にレバー４８，４９の中間部が枢支されており、レバー４８の先端に植設されたピン５０は第３のスライド板２４に形成された長孔５１に係合している。レバー４９の先端に植設されたピン５２は第１のスライド板２２に形成された長孔５３に係合している。
【００２８】
レバー４８，４９の基端にはシャーシ２に穿設された孔５４，５５を貫通して図６に示すようにシャーシ２の外側に延設されたピン５６，５７が植設されている。シャーシ２の外側には、シャーシ２に植設されたピン５８ａ，５８ｂ，５８ｃに係合してスライド自在の第１のカム板５９が設けられており、この第１のカム板５９のカム溝６０，６１にピン５６，５７が係合している。
【００２９】
同様に第４〜第６のスライド板２５〜２７の側のシャーシ２の内側にも第１〜第３のスライド板２２〜２４の側のレバー４８，４９と同様に２つのレバーが設けられており、この２つのレバーの基端に植設されたピン６２，６３が図７に示すようにシャーシ２を貫通して外側に延設されて、第１のカム板５９と同様の第２のカム板６４のカム溝６５，６６にレバーの基端のピン６２，６３が係合している。
【００３０】
第１〜第３のスライド板２２〜２４の近傍のシャーシ２には、図５に示す第１のレバー３４を枢支する軸６７が植設されており、この軸６７に取り付けられた第１のレバー３４のピン６８と第１のスライド板２２ピン３５は連結板６９で連結されている。
【００３１】
第４〜第６のスライド板２５〜２７の近傍のシャーシ２にも、第１のレバー３４に相当する第２のレバー７０とこの第２のレバー７０と第４のスライド板２５とを連結する連結板７１が設けられている。
【００３２】
第１のカム板５９と第２のカム板６４とを連動させて駆動する構造は、次のように構成されている。
図６に示すように第１〜第３のスライド板２２〜２４の近傍のシャーシ２の外側には、第１のカム板５９のラック７２に噛合する歯車７３とこの歯車７３に噛合する中間歯車７４が設けられている。中間歯車７４に噛合する歯車７５は、図２にも示す連結軸７６の一端に取り付けられている。連結軸７６はシャーシ２に回転自在に支持されており、他端は第４〜第６のスライド板２５〜２７の近傍のシャーシ２の外側に延設されている。連結軸７６の前記他端には図７に示すように歯車７７が取り付けられている。
【００３３】
図１と図７に示すように、シャーシ２にはモータ７８が取り付けられている。第１のカム板５９のラック７２に相当する第２のカム板６４のラックに歯合する歯車７９は、歯車群８０を介してモータ７８の出力軸８１に連結されており、歯車７９はまた中間歯車８２を介して前記の連結軸７６の歯車７６に連結されている。
【００３４】
このように構成されたカメラ一体型画像記録装置は、第１〜第４のダンパー４〜７が有効な状態では、図２と図９に示すように第１，第２のレバー３４，７０はメカニズムユニット１０から離間するとともに、第１〜第３のスライド板２２〜２４は第１，第２のダンパー４，５のダンパー軸８に連結された支持パイプ１６に作用しないフリー状態になっている。
【００３５】
この状態でディスクカセットの着脱指示を検出するとモータ７８への通電が実施される。モータ７８が正転すると、第１，第２のカム板５９，６４はビデオカメラ本体３の下方向（矢印Ｄ方向）にスライドし、第１のスライド板２２と第３のスライド板２４は図１０に示すようにビデオカメラ本体３の上方向（矢印Ｕ方向）にスライドし、歯車４３，４５を介して第３のスライド板２４に連結されている第２のスライド板２３は、第３のスライド板２４とは逆方向にビデオカメラ本体３の下方向（矢印Ｄ方向）にスライドを始める。この状態では、第１のスライド板２２の移動によって連結板６９を介して第１のレバー３４が図１０に示すようにメカニズムユニット１０の側面に当接してメカニズムユニット１０を内側に押して出す。
【００３６】
モータ７８がさらに正転すると、図１１に示すように第３のスライド板２４のガイド孔３９，４０の一部と第２のスライド板２３のガイド凹部３６とガイド孔３７の一部とで支持パイプ１６，１６を挟持してビデオカメラ本体３の上下方向（矢印ＵＤ方向）と左右方向（矢印ＬＲ方向）の位置決めを行う。
【００３７】
モータ７８の正転による第２のカム板６４の移動によって、第４のスライド板２５と第６のスライド板２７も第１のスライド板２２と第３のスライド板２４と同様にビデオカメラ本体３の上方向（矢印Ｕ方向）にスライドし、第６のスライド板２７に連結されている第５のスライド板２６は、第６のスライド板２７とは逆方向にビデオカメラ本体３の下方向（矢印Ｄ方向）にスライドを始める。この状態では、第４のスライド板２５の移動によって第２のレバー７０がメカニズムユニット１０の側面に当接してメカニズムユニット１０を内側に押して出す。さらに第６のスライド板２７と第５のスライド板２６とで支持パイプ１６を挟持してビデオカメラ本体３の上下方向（矢印ＵＤ方向）と左右方向（矢印ＬＲ方向）の位置決めを行う。
【００３８】
図８は図１０に示した状態の様子を示しており、第１のレバー３４がメカニズムユニット１０をビデオカメラ本体３の後方へ押し出し、第２のレバー７０がメカニズムユニット１０をビデオカメラ本体３の前方へ押し出すことによって、メカニズムユニット１０はビデオカメラ本体３における前後方向の位置が初期位置に戻されている。これに続いて第２，第３のスライド板２３，２４と第５，第６のスライド板２６，２７とで各支持パイプ１６を挟持してビデオカメラ本体３における上下方向と左右方向の位置が初期位置に戻される。
【００３９】
このようにメカニズムユニット１０とシャーシ２との間に設けた第１の緩衝解除機構１９と第２の緩衝解除機構２１とを動作させてメカニズユニット１０を初期位置に戻した状態では、第１〜第４のダンパー４〜７を介してメカニズムユニット１０を支持しているにもかかわらず、記録媒体装着部９の入口８３とビデオカメラ本体３の記録媒体挿入口８４との位置とが一致して、ディスクカセットの着脱を実施できる。また、ディスクカセットを記録媒体装着部９にセットする際にもメカニズムユニット１０が第１の緩衝解除機構１９と第２の緩衝解除機構２１とによって位置規制されていることによって、メカニズムユニット１０の位置が安定し、操作性も良好である。
【００４０】
また、緩衝効果が大きくて図４に示すようにシャーシ２の内側への突出量が大きな弾性変形が発生するダンパーを採用して十分な緩衝効果を得、第１，第４のスライド板２２，２５で第１，第２のレバー３４，７０を駆動してメカニズムユニット１０の位置を初期位置に戻して各ダンパー４〜７のダンパー材１４のシャーシ２の内側への突出を無くしてから第２，第３のスライド板２３，２４ならびに第５，第６のスライド板２６，２７で各支持パイプ１６を挟持するので、第２，第３のスライド板２３，２４ならびに第５，第６のスライド板２５，２６がダンパー材１４を挟み込むような事態の発生を回避できる。
【００４１】
記録または再生指示の操作を検出するとモータ７８が逆転し、第１，第３のカム板２２，２４がビデオカメラ本体３の上方向（矢印Ｕ方向）にスライドし、上記の逆工程で第１，第２の緩衝解除機構１９，２１が解除されて、メカニズムユニット１０は第１〜第４のダンパー４〜７による十分な緩衝効果を得ることができる状態に復帰する。
【００４２】
なお、モータ７８の正転期間と逆転期間は、図７に示すように第２のカム板６４の一部に設けた突起８５をシャーシの側に設けたスイッチ８６，８７で検出して通電の終了時期を決定している。
【００４３】
上記の実施の形態では、記録媒体はディスクカセットであってが、テープカセットまたはカセットに収納されていない光ディスクであっても同様の効果が期待できる。
【００４４】
上記の各実施の形態において第１〜第４のダンパー４〜７は、シリンダー室１２の一部にダンパー材１４を設けたが、シリンダー室１２の全部にダンパー材１４を充填して形成することもでき、この場合には連通口１３は必要でなくなる。
【００４５】
【発明の効果】
請求項１記載のカメラ一体型画像記録装置によると、画像記録装置のメカニズムユニットを初期位置に強制移動させる緩衝解除機構を設け、メカニズムユニットへの記録媒体の装着動作または記録媒体の取り出し動作に際して緩衝解除機構が動作するように構成したので、十分な緩衝効果が得られるダンパーを使用した場合であっても、強制的に初期位置に復帰させることができ、操作性と緩衝効果の一方の性能を犠牲にすること無しに両方の性能を満足させることができるとともに操作性が良好である。
【００４７】
請求項２記載のカメラ一体型画像記録装置によると、請求項１において、ビデオカメラ本体側とメカニズムユニットの前記の両側との間に、それぞれ緩衝解除機構を設けたため、メカニズムユニットを正確に初期位置に復帰させることができる。
【００４８】
請求項３記載のカメラ一体型画像記録装置によると、請求項２において、ビデオカメラ本体側とメカニズムユニットの前側面との間に設けた第１の緩衝解除機構を、前記メカニズムユニットをビデオカメラ本体の後方に押し出す第１の規制部と、前記メカニズムユニットをビデオカメラ本体の上下方向に移動させる第２の規制部とで構成し、ビデオカメラ本体側とメカニズムユニットの後側面との間に設けた第２の緩衝解除機構を、前記メカニズムユニットをビデオカメラ本体の前方に押し出す第３の規制部と、前記メカニズムユニットをビデオカメラ本体の上下方向に移動させる第４の規制部とで構成したので、ビデオカメラ本体の内部におけるメカニズムユニットの位置を三次元的に正確に初期位置に復帰させることができる。
【００４９】
請求項４記載のカメラ一体型画像記録装置によると、請求項３において、第１の規制部〜第４の規制部を連動して作動させるので、１つの駆動源で運転することができ、また、ビデオカメラ本体の前後方向の初期位置への復帰を正確に行うことができる。
【００５０】
請求項５記載のカメラ一体型画像記録装置によると、請求項３または請求項４において、可動部がビデオカメラ本体の少なくとも前後方向に出退するようにダンパーを取り付け、第１の規制部と第３の規制部を第２の規制部と第４の規制部よりも優先させて作動させるように構成したため、ダンパーの弾性変形している部分を第２の規制部と第４の規制部が噛み込んで故障するような事態を回避することができる。
【００５１】
請求項６記載のカメラ一体型画像記録装置によると、請求項３〜請求項５の何れかにおいて、第１の規制部と第２の規制部を、ビデオカメラ本体の上下方向にスライド駆動されて第１のレバーをビデオカメラ本体の後方向へ押し出す第１のスライド板と、ビデオカメラ本体の上下方向に互いに逆方向にスライド駆動されて前方側のダンパーのダンパー軸を挟持してこのダンパー軸をダンパーの中央に付勢する第２，第３のスライド板とで構成し、第３の規制部と第４の規制部を、ビデオカメラ本体の上下方向にスライド駆動されて第２のレバーをビデオカメラ本体の前方向へ押し出す第４のスライド板と、ビデオカメラ本体の上下方向に互いに逆方向にスライド駆動されて後方側のダンパー軸を挟持してこのダンパー軸をダンパーの中央に付勢する第５，第６のスライド板とで構成したため、コンパクトに第１，第２の緩衝解除機構を実現できる。
【００５２】
請求項７記載のカメラ一体型画像記録装置によると、請求項１〜請求項６の何れかにおいて、画像記録装置の記録媒体装着部を、テープカセットまたは光ディスクまたは光ディスクを内蔵したディスクカセットの何れかの記録媒体を取り扱うように構成したため、テープカセットまたは光ディスクまたはディスクカセットを使用するカメラ一体型画像記録装置において、操作性と緩衝効果の一方を犠牲にすること無しに両方の性能を満足させることができる。
【図面の簡単な説明】
【図１】本発明のカメラ一体型画像記録装置のビデオカメラ本体の要部と内蔵されたメカニズムユニットの外観斜視図
【図２】同実施の形態の平面図
【図３】同実施の形態のダンパーとその周辺の断面図
【図４】同実施の形態のダンパーによる緩衝状態の説明図
【図５】同実施の形態の第１の緩衝解除機構を示す分解斜視図
【図６】同実施の形態の図１のビデオカメラ本体の前方から見た側面図
【図７】同実施の形態の図１のビデオカメラ本体の後方から見た側面図
【図８】同実施の形態の第１，第２のレバーがメカニズムユニットを内側に押し出した状態の平面図
【図９】同実施の形態の第１の緩衝解除機構が作動する前の状態の説明図
【図１０】同実施の形態の第１の緩衝解除機構が作動途中の状態の説明図
【図１１】同実施の形態の第１の緩衝解除機構が緩衝効果を完全に解除した状態の説明図
【符号の説明】
１    画像記録装置
２    シャーシ
３    ビデオカメラ本体
４〜７    第１〜第４のダンパー
８    ダンパー軸
９  記録媒体装着部
１０    メカニズムユニット
１１    ダンパー本体
１２    シリンダー室
１４    ダンパー材
１６    支持パイプ
１７    ネジ
１９    第１の緩衝解除機構
２１    第２の緩衝解除機構
２２    第１のスライド板
２３    第２のスライド板
２４    第３のスライド板
２５    第４のスライド板
２６    第５のスライド板
２７    第６のスライド板
３４    第１のレバー
５９    第１のカム板
６４    第２のカム板
７０    第２のレバー
８３    記録媒体装着部の入口
８４    ビデオカメラ本体の記録媒体挿入口
【図１】
0003664578.tif 000002
【図２】
0003664578.tif 000003
【図３】
0003664578.tif 000004
【図４】
0003664578.tif 000005
【図５】
0003664578.tif 000006
【図６】
0003664578.tif 000007
【図７】
0003664578.tif 000008
【図８】
0003664578.tif 000009
【図９】
0003664578.tif 000010
【図１０】
0003664578.tif 000011
【図１１】
0003664578.tif 000012